(57)【要約】      （修正有）【課題】簡単にＸ線撮影条件を設定できるＸ線撮影装置を提供する。【解決手段】ガントリ部５と、操作部１１と、システム制御部１２と、撮影制御部１３と、画像発生部１４と、記憶部１５と、リスト発生部１８と、部位特定部１９と、撮影条件選択部２０と、撮影条件設定部２１と、表示制御部２２と、表示部２３とを有する。部位と症状とが関連付けられた複数の撮影条件のデータを記憶する撮影条件記憶部１７と、複数の撮影条件から、操作者により入力された部位と症状とに従って、特定の撮影条件を選択する撮影条件選択部２０とを具備する。【選択図】図１
2014046077.tif 000002
【特許請求の範囲】
【請求項１】
部位と症状とが関連付けられた複数の撮影条件のデータを記憶する記憶部と、
前記複数の撮影条件から、操作者により入力された部位と症状とに従って、特定の撮影条件を選択する選択部と、
を具備することを特徴とするＸ線撮影装置。
【請求項２】
前記操作者により入力された部位に従って、複数の症状の候補に関するリストを作成するリスト作成部と、
前記リスト作成部で作成されたリストを表示する表示部と、
をさらに具備することを特徴とする請求項１記載のＸ線撮影装置。
【請求項３】
前記複数の撮影条件各々には、前記部位と症状とともに、外傷の有無が関連付けされており、
前記特定の撮影条件は、前記操作者より入力された部位と症状とともに、前記操作者により入力された外傷の有無とに従って、前記複数の撮影条件から選択されることを特徴とする請求項１記載のＸ線撮影装置。
【請求項４】
前記操作者による症状及び外傷の有無の入力を支援するための第１のリストと第２のリストとを作成するリスト作成部と、
前記第１のリストと第２のリストを表示する表示部と、
をさらに具備し、
前記第１のリストには、前記操作者により入力された部位に関連付けされている外傷の有無に関する複数の選択肢が含まれ、
前記第２のリストには、前記操作者により指定された部位及び前記第１のリストから前記操作者により指定された選択肢に関連付けされている症状に関する複数の選択肢が含まれることを特徴とする請求項３記載のＸ線撮影装置。
【請求項５】
前記複数の撮影条件各々には、前記部位と症状とともに、体格と性別とが関連付けされており、
前記特定の撮影条件は、前記操作者より入力された部位と症状とともに、前記操作者により入力された性別とに従って、前記複数の撮影条件から選択されることを特徴とする請求項１記載のＸ線撮影装置。
【請求項６】
前記操作者による体格、性別、及び部位の入力を支援するための複数の人的モデル画像のデータを記憶する画像記憶部と、
前記複数の人的モデル画像を表示する表示部と、
前記表示された複数の人的モデル画像の前記操作者により指定された位置に基づいて前記入力された体格、性別、及び部位を特定する特定部と、
をさらに備えることを特徴とする請求項５記載のＸ線撮影装置。
【請求項７】
前記操作者による部位の入力を支援するための人的モデル画像のデータを記憶する画像記憶部と、
前記人的モデル画像を表示する表示部と、
前記表示された人的モデル画像の前記操作者による指定位置に基づいて前記入力された部位を特定する特定部と、
をさらに備えることを特徴とする請求項１記載のＸ線撮影装置。
【請求項８】
部位と病名とが関連付けられた複数の撮影条件のデータを記憶する記憶部と、
前記複数の撮影条件から、操作者により入力された部位と病名とに従って、特定の撮影条件を選択する選択部と、
を具備することを特徴とするＸ線撮影装置。
【発明の詳細な説明】
【技術分野】
【０００１】
本発明の実施形態は、Ｘ線撮影装置に関する。
【背景技術】
【０００２】
Ｘ線撮影装置は被検体を透過したＸ線強度に基づいて、被検体の医用情報を画像で提供する装置であり、診断や治療などの医療行為において、重要な役割を果たしている。したがって、画像の質を決定付ける要因の１つであるＸ線撮影条件の設定は、Ｘ線撮影の一連の作業において、重要な作業となる。近年、科学技術の高度化に伴って、大規模な病院は、ＲＩＳ（Ｒａｄｉｏｌｏｇｙ  Ｉｎｆｏｒｍａｔｉｏｎ  Ｓｙｓｔｅｍ；放射線診療情報システム）を導入し、ＲＩＳによるＸ線撮影条件の設定を行っている。ＲＩＳは、ＨＩＳ（Ｈｏｓｐｉｔａｌ  Ｉｎｆｏｒｍａｔｉｏｎ  Ｓｙｓｔｅｍ；病院情報システム）から受け取った患者の撮影に関するオーダ情報をＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）規格のＭＷＭ（Ｍｏｄａｌｉｔｙ  Ｗｏｒｋｌｉｓｔ  Ｍａｎａｇｅｍｅｎｔ；モダリティワークリスト管理）の方法に従いＸ線撮影装置に渡す。Ｘ線撮影装置はオーダ情報に基づいて、予め登録されている複数の撮影条件から適切な撮影条件を選択して設定する。このように、ＲＩＳ導入により、自動的に撮影条件が設定されるため、撮影条件の設定ミスによる再撮影の頻度が低減した。
【０００３】
しかしながら、ＲＩＳの導入コストは高価であるため、小規模な診療所や検診施設などではＲＩＳ導入は困難である。そのため、ＲＩＳ未導入の施設においては、医師がＸ線撮影技師を兼ねて、複数の撮影条件から適切な撮影条件を設定しなければならない場合がある。複数の撮影条件各々が大まかに分類されていた場合において、医師等による複数の撮影条件から適切な撮影条件の選択は容易である。しかし、選択した撮影条件に対して調整が必要となるため、非効率である。一方、複数の撮影条件各々が細分化されている場合において、医師等による複数の撮影条件から適切な撮影条件を検索する作業に時間がかかってしまい非効率である。
【発明の概要】
【発明が解決しようとする課題】
【０００４】
目的は、簡単にＸ線撮影条件を設定できるＸ線撮影装置を提供することにある。
【課題を解決するための手段】
【０００５】
実施形態によれば、部位と症状とが関連付けられた複数の撮影条件のデータを記憶する記憶部と、前記複数の撮影条件から、操作者により入力された部位と症状とに従って、特定の撮影条件を選択する選択部とを具備することを特徴とするＸ線撮影装置を提供する。
【０００６】
実施形態によれば、部位と病名とが関連付けられた複数の撮影条件のデータを記憶する記憶部と、前記複数の撮影条件から、操作者により入力された部位と病名とに従って、特定の撮影条件を選択する選択部とを具備することを特徴とするＸ線撮影装置。Ｘ線撮影装置を提供する。
【図面の簡単な説明】
【０００７】
【図１】本実施形態に係るＸ線撮影装置のブロック構成の一例を示す図である。
【図２】本実施形態に係るＸ線撮影装置の撮影条件記憶部が記憶している撮影条件表の第１の例を示す図である。
【図３】本実施形態に係るＸ線撮影装置の画像記憶部に記憶されている人的モデル画像の一例を示す図である。
【図４】本実施形態に係るＸ線撮影装置のＸ線撮影条件の設定に関するフローチャートの一例を示す図である。
【図５】図４で説明したＸ線撮影条件の設定過程における表示部の画面遷移の一例を示す図である。
【図６】本実施形態に係るＸ線撮影装置の撮影条件記憶部が記憶している撮影条件表の第２の例を示す図である。
【図７】本実施形態に係るＸ線撮影装置の撮影条件記憶部に図６の撮影条件表を記憶している場合における、Ｘ線撮影条件の設定過程における表示部の画面遷移の一例を示す図である。
【図８】本実施形態に係るＸ線撮影装置の撮影条件記憶部が記憶している撮影条件表の第２の例を示す図である。
【図９】本実施形態に係るＸ線撮影装置の撮影条件記憶部に図８の撮影条件表を記憶している場合における、Ｘ線撮影条件の設定過程における表示部の画面遷移の一例を示す図である。
【発明を実施するための形態】
【０００８】
以下、図面を参照しながら本実施形態に係るＸ線撮影装置を説明する。なお、以下の説明において、略同一の機能及び構成を有する構成要素については、同一符号を付し、重複説明は必要な場合にのみ行う。
【０００９】
まず、本実施形態に係るＸ線撮影装置の構成について図１を参照して説明する。図１は、本実施形態に係るＸ線撮影装置のブロック構成の一例を示す図である。
【００１０】
図１に示すように、Ｘ線撮影装置は、ガントリ部５と、操作部１１と、システム制御部１２と、撮影制御部１３と、画像発生部１４と、記憶部１５と、リスト発生部１８と、部位特定部１９と、撮影条件選択部２０と、撮影条件設定部２１と、表示制御部２２と、表示部２３とを有する。
【００１１】
操作部１１は、例えば、マウスやキーボードなどの入力デバイスを有している。なお、入力デバイスは、トラックボール、タッチパネル、スイッチなどを備えてもよい。操作部１１は、操作者がＸ線撮影装置に対して指示情報を入力するためのインターフェースとして機能する。
【００１２】
システム制御部１２は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ  Ｐｒｏｇｒａｍｍａｂｌｅ  Ｇａｔｅ  Ａｒｒａｙ）などの集積回路、ＣＰＵ（Ｃｅｎｔｒａｌ  Ｐｒｏｃｅｓｓｉｎｇ  Ｕｎｉｔ）、メモリ回路などを含み、Ｘ線撮影装置を統括的に制御する。具体的には、システム制御部１２は、操作部１１から入力された情報を受け取り、一時的にメモリ回路に入力情報を記憶する。システム制御部１２は、この入力情報に基づいて各部に制御信号を送信する。
【００１３】
撮影制御部１３は、システム制御部１２による制御に従い、撮影に関わる各構成部を制御する。具体的には、撮影制御部１３は、撮影条件設定部２１により設定された撮影条件に基づいて、高電圧発生部６と、Ｘ線検出部８と、画像発生部１４とに撮影の設定に関する制御信号を送信する。
【００１４】
ガントリ部５は、高電圧発生部６と、Ｘ線管装置７と、Ｘ線検出部８とを有する。Ｘ線管装置７は、Ｘ線管とコリメータとからなる。Ｘ線管は、高電圧発生部６からの高電圧（管電圧）の印加によってＸ線を発生する。Ｘ線管はＸ線を放射するための放射窓を有する。コリメータは、放射窓に取り付けられる。コリメータは、可動絞りを有する。可動絞りは、撮影制御部１３による制御に従い、Ｘ線管から放射されたＸ線の照射野を調整する。Ｘ線管から放射されたＸ線は、可動絞りにより、例えば、円錐形状や角錐形状に成形される。
【００１５】
Ｘ線検出部８は、複数のＸ線検出素子を有する。複数のＸ線検出素子は、２次元のアレイ状に配列される。２次元のアレイ状の検出器はＦＰＤ（Ｆｌａｔ  Ｐａｎｅｌ  Ｄｉｓｐｌａｙ：平面検出器）と呼ばれる。ＦＰＤの各素子は、Ｘ線管装置７から放射され被検体を透過したＸ線を検出する。ＦＰＤの各素子は、検出したＸ線強度に対応した電気信号を出力する。
【００１６】
画像発生部１４は、撮影制御部１３による制御に従い、Ｘ線検出部８から出力された電気信号に各種補正処理、増幅処理、Ａ／Ｄ変換処理などを行う。そして、画像発生部１４は、透過Ｘ線の強度に関する複数の２次元空間分布、つまり複数の２次元Ｘ線画像のデータを発生する。
【００１７】
記憶部１５は、半導体記憶素子であるＦｌａｓｈ  ＳＳＤ（Ｓｏｌｉｄ  Ｓｔａｔｅ  Ｄｉｓｋ）などの半導体記憶装置、ＨＤＤなどである。記憶部１５は、画像記憶部１６と撮影条件記憶部１７とを有する。なお、各記憶部は、その記憶するデータの種類が異なるだけであり、独立した記憶装置であっても、同一の記憶装置でもよい。
【００１８】
画像記憶部１６は、システム制御部１２からの制御信号に従い、画像発生部１４で発生されたＸ線画像のデータを記憶する。また、人的モデル画像のデータを記憶する。人的モデル画像の詳細説明は後述する。
【００１９】
撮影条件記憶部１７は、部位と症状と外傷の有無が関連付けられた複数の撮影条件のデータを記憶する。撮影条件記憶部１７は、例えば、複数の撮影条件各々を、部位階層と外傷階層と症状階層とで階層化した階層表（以下、撮影条件表と呼ぶ）の症状階層に含まれる複数の症状にそれぞれ対応させて記憶する。撮影条件表の詳細説明は後述する。
【００２０】
リスト作成部１８は、システム制御部１２からの制御信号に従い、リストのデータを作成する。リスト作成部１８によるリストのデータの作成方法の詳細説明は後述する。
【００２１】
部位特定部１９は、システム制御部１２からの制御に従い、部位を特定する。具体的には、部位特定部１９は、操作部１１を介した操作者による人的モデル画像上のクリック位置を検出する。そして、部位特定部１９は、検出したクリック位置に基づいて、クリック位置を含む領域に関連付けされている部位を特定する。
【００２２】
撮影条件選択部２０は、システム制御部１２からの制御信号に従い、撮影条件記憶部１７に記憶されている複数の撮影条件から特定の撮影条件を選択する。特定の撮影条件の選択方法の詳細説明は後述する。
【００２３】
撮影条件設定部２１は、システム制御部１２からの制御信号に従い、撮影条件を設定する。撮影条件は、撮影条件表に含まれる複数の撮影条件から、撮影条件選択部２０により選択された特定の撮影条件である。しかしながら、設定される撮影条件は、その特定の撮影条件を基に、例えば、操作者により調整されてもよい。撮影条件には、管電圧、管電流及び照射時間などが含まれる。
【００２４】
表示制御部２２は、表示部２３への画像表示、テキスト表示などの表示動作を統括的に制御する。例えば、表示制御部２２は、画像記憶部１６に記憶されているＸ線画像及び人的モデル画像のデータを読み出し、表示部２３に表示する。また、表示制御部２２は、リスト作成部１８で作成されたリストを表示部２３に表示する。
【００２５】
次に、本実施形態に係るＸ線撮影装置の撮影条件記憶部１７に記憶されている撮影条件表について図２を参照して説明する。図２は、本実施形態に係るＸ線撮影装置の撮影条件記憶部１７が記憶している撮影条件表の第１の例を示す図である。
【００２６】
図２に示すように、撮影条件表は第１乃至第４の階層に階層化された階層表である。この階層構造は、上から順番に、部位階層６０、外傷階層６１、症状階層６２、撮影条件階層６３という名称の階層で構成される。
【００２７】
部位階層６０には、「腹部」や「胸部」などの複数の部位が含まれる。なお、部位階層６０において、部位は大まかに分類されていてもよいし、下腹部や右胸部などのように、細かく分類されていてもよい。そして、外傷階層６１には、外傷の有無に関する複数の項目が含まれる。
【００２８】
症状階層６２には、「痛い」、「咳がでる」及び「痰がでる」などの複数の症状が含まれる。撮影条件階層６３には、「撮影条件Ａ」、「撮影条件Ｂ」、及び「撮影条件Ｚ」などの複数の撮影条件が含まれる。複数の撮影条件各々には、例えば、管電圧、管電流及び照射時間などの撮影に関する条件が含まれる。症状階層６２の複数の症状に対して、撮影条件階層６３の複数の撮影条件がそれぞれ対応している。したがって、部位階層６０、外傷階層６１、及び症状階層６２の各階層に含まれる複数の項目から特定の項目が選択されると、撮影条件階層６３の複数の撮影条件から１つの撮影条件が特定される。
【００２９】
なお、本実施形態に係る階層構造は、上記の様に、部位、外傷、症状、撮影条件による４層構造のみに限定されない。撮影条件表は、例えば、上から順番に部位、症状、撮影条件による３層構造であってもよい。
【００３０】
次に、部位階層６０に含まれる複数の部位から操作者による特定部位の選択を支援するための人的モデル画像について図３を参照して説明する。本説明では、説明の便宜上、撮影条件記憶部１７には、図２の撮影条件表が記憶されていることとする。図３は、本実施形態に係るＸ線撮影装置の画像記憶部１６に記憶されている人的モデル画像の一例を示す図である。図３に示すように、人的モデル画像は、複数の部分領域に分けられている。複数の部分領域は、部位階層６０に含まれる複数の部位にそれぞれ関連付けされている。例えば、操作部１１を介して操作者により特定の位置がカーソルでクリックされると、部位特定部１９は、その人的モデル画像上のクリック位置を特定する。そして、クリック位置を含む部分領域に関連付けされている部位を特定する。そして、撮影条件選択部２０は、部位特定部１９から出力に基づいて、部位階層６０に含まれる複数の部位から特定部位を選択する。上記の様に、操作者は、人的モデル画像上で直感的に部位の選択が可能である。
【００３１】
次に、本実施形態に係るＸ線撮影装置の撮影条件の設定手順について、図４を参照して説明する。図４は、本実施形態に係るＸ線撮影装置のＸ線撮影条件の設定に関するフローチャートの一例を示す図である。なお、本説明では、説明の便宜上、撮影条件記憶部１７には、図２の撮影条件表のデータが記憶されていることとする。さらに、画像記憶部１６には、図３の人的モデル画像のデータが記憶されていることとする。
【００３２】
まず、表示制御部２２は、画像記憶部１６から人的モデル画像のデータを読み出し、表示部２３に表示する（ステップＳ１１）。操作者は、操作部１１を介して患者の症状が出ている部位を人的モデル画像上でクリックする。部位特定部１９は、その人的モデル画像上のクリック位置を検出する。そして、部位特定部１９は、検出したクリック位置に基づいて、クリック位置を含む領域に関連付けされている部位を特定する。そして、撮影条件選択部２０は、部位特定部１９からの出力に基づいて、部位階層６０に含まれる複数の部位から特定部位を選択する（ステップＳ１２）。
【００３３】
そして、リスト作成部１８は、外傷階層６１に含まれる外傷の有無に関する項目（以下、外傷項目と呼ぶ）から、部位階層６０で選択された特定部位に関連付けされている複数の外傷項目のリスト（以下、外傷リストと呼ぶ）のデータを作成する。表示制御部２２は、外傷リストを表示する（ステップＳ１３）。
【００３４】
操作者は、表示された外傷リストから特定外傷項目を選択する。すると、撮影条件選択部２０は、操作者による選択指示に従って、外傷階層６１に含まれる複数の外傷項目から特定外傷項目を選択する（ステップＳ１４）。
【００３５】
そして、リスト作成部１８は、症状階層６２の複数の症状から、部位階層６０で選択された特定部位及び外傷階層６１で選択された特定外傷項目に関連付けされている複数の症状のリスト（以下、症状リストと呼ぶ）のデータを作成する。表示制御部２２は、症状リストを表示する（ステップＳ１５）。
【００３６】
操作者は、表示された症状リストから特定症状を選択する。すると、撮影条件選択部２０は、操作者による選択指示に従って、症状階層６２に含まれる複数の症状から特定症状を選択する（ステップＳ１６）。
【００３７】
そして、撮影条件選択部２０は、部位階層６０と、外傷階層６１と、症状階層６２とで操作者により選択された特定項目に基づいて、撮影条件階層６３の複数の撮影条件から特定の撮影条件を選択する（ステップＳ１７）。表示制御部２２は、特定した撮影条件の各項目を、撮影条件を確定するための確定ボタンとともに表示する（ステップＳ１８）。
【００３８】
操作者は、表示されている特定の撮影条件の各条件を確認し、撮影条件の調整が必要かを判断する（ステップＳ１９）。撮影条件を調整する場合において、操作者は、操作部１１のキーボード、マウス等の入力デバイスを介して、調整する条件を選択し、値などを変更する。
【００３９】
すると、撮影条件設定部２１は、操作者による撮影条件の変更を受け付ける（ステップＳ２０）。なお、システム制御部１２は、操作部１１を介した操作者による指示に従って、変更後の撮影条件を、撮影条件表の基の撮影条件に上書きをして、撮影条件記憶部１７に記憶してもよい。そして、操作者による撮影条件の変更後、又は、操作者が撮影条件の調整が必要ないと判断した場合において、操作者は確定ボタンをクリックする。すると、システム制御部１２は、確定ボタンが押された旨を通知する信号を撮影条件設定部２１に送信する。撮影条件設定部２１は、その信号を受信したのを契機に撮影条件を設定する（ステップＳ２１）。システム制御部１２は、設定された撮影条件を撮影制御部１３に送信する。
【００４０】
次に、図４で説明したＸ線撮影条件の設定過程における、表示部２３の画面遷移について図５を参照して説明する。図５は、図４で説明したＸ線撮影条件の設定過程における表示部２３の画面遷移の一例を示す図である。
【００４１】
図５では、図４のステップＳ１１で説明したように、表示制御部２２により人的モデル画像が表示部２３の表示エリアに表示される。操作者は、人的モデル画像上のカーソル操作により特定部位を選択する。ここでは、「胸部」が選択されたとする。
【００４２】
次に、図４のステップＳ１３で説明したように、表示制御部２２により外傷リストが表示される。この外傷リストには、部位階層６０の「胸部」に関連付けされている外傷階層６１の複数の外傷項目が含まれる。操作者は、外傷リストから、カーソル操作により特定外傷項目を選択する。ここでは、「外傷なし」が選択されたとする。
【００４３】
次に、図４のステップＳ１５で説明したように、表示制御部２２により症状リストが表示される。この症状リストには、部位階層６０の「胸部」及び外傷階層６１の「外傷なし」に関連付けされている症状階層６２の複数の症状が含まれる。操作者は、症状リストから、カーソル操作により特定症状を選択する。ここでは、「咳がでる」が選択されたとする。なお、ステップＳ１３以降において、表示制御部２２は、人的モデル画像を表示した状態にしてもよいし、非表示にしてもよい。
【００４４】
次に、ステップＳ１８で説明したように、表示制御部２２により特定撮影条件が表示される。この特定撮影条件は、部位階層６０の「胸部」、外傷階層６１の「外傷なし」、症状階層６２の「咳がでる」に関連付けされている撮影条件階層６３の撮影条件Ｂである。操作者は、特定撮影条件を確認し、調整の有無を判断する。調整が必要な場合は、操作者は、カーソル操作により調整する条件を選択し、キーボード操作などにより値を変更する。調整が必要ない場合及び撮影条件の調整後は、操作者は確定ボタンをクリックし、撮影条件を確定する。
【００４５】
以上のように、医師などの操作者は、患者に該当する項目を人的モデル画像及び各リストから直感的に選択していくだけで、複数の撮影条件から特定撮影条件を選択できる。そのため、医師などの操作者でも、簡単にＸ線撮影条件の設定ができる。
【００４６】
次に、本実施形態に係るＸ線撮影装置の撮影条件記憶部１７が記憶している撮影条件表の他の例について、図６を参照して説明する。図６は、本実施形態に係るＸ線撮影装置の撮影条件記憶部１７が記憶している撮影条件表の第２の例を示す図である。
【００４７】
図６に示す撮影条件表は、第１乃至第３の階層に階層化されている。この階層構造は、上から順番に、部位階層７０、病名階層７１、撮影条件階層７２という名称の階層で構成される。部位階層７０には、腹部や胸部などの複数の部位が含まれる。なお、部位階層７０では、部位を大まかに分類してもよいし、下腹部や右胸部などのように、部位を細かく分類してもよい。そして、病名階層７１には、例えば、骨折、靭帯断裂及び肺結核など複数の病名が含まれる。撮影条件階層７２には、撮影条件ＡＡ、撮影条件ＡＢ及び撮影条件ＡＯなどの複数の撮影条件が含まれる。病名階層７１の複数の病名に対して、撮影条件階層７２の複数の撮影条件がそれぞれ対応している。
【００４８】
図７は、本実施形態に係るＸ線撮影装置の撮影条件記憶部１７に図６の撮影条件表を記憶している場合における、Ｘ線撮影条件の設定過程における表示部２３の画面遷移の一例を示す図である。図７に示すように、操作者のカーソル操作により、人的モデル画像上の特定部位が選択されると、表示制御部２２は、リスト作成部１８で作成された病名リストを表示する。この病名リストには、部位階層７０の特定部位に関連付けされている病名階層７１の複数の病名が含まれる。操作者は、病名リストから、カーソル操作により患者の特定病名を選択する。すると、撮影条件選択部２０は、部位階層７０の特定部位、病名階層７１の特定病名に関連付けされている撮影条件階層７２の特定撮影条件を選択する。
【００４９】
このように、医師などの操作者は、人的モデル画像及び病名リストを参照し、患者に該当する項目を直感的に選択していくだけで、複数の撮影条件から特定の撮影条件を選択できる。
【００５０】
次に、本実施形態に係るＸ線撮影装置の撮影条件記憶部１７が記憶している撮影条件表の他の例について、図８を参照して説明する。図８は、本実施形態に係るＸ線撮影装置の撮影条件記憶部１７が記憶している撮影条件表の第２の例を示す図である。
【００５１】
図８に示す撮影条件表は、第１乃至第５の階層に階層化されている。この階層構造は、上から順番に、体格階層８０、性別階層８１、部位階層８２、症状階層８３、撮影条件階層８４という名称の階層で構成される。
【００５２】
体格階層８０には、患者の体格に関連する複数の項目が含まれる。患者の体格は、例えば、図８に示すように、「大人」、「子供」といった項目などである。また、「やせている」、「ふつう」、及び「太っている」などの項目でもよいし、体重などでもよい。
【００５３】
性別階層８１には、患者の性別、具体的には、「男性」と「女性」を示す項目が含まれる。以下、部位階層８２、症状階層８３、及び撮影条件階層８４の説明は上述の部位階層６０、症状階層６２、及び撮影条件階層６３の説明の通りである。
【００５４】
図９は、本実施形態に係るＸ線撮影装置の撮影条件記憶部１７に図８の撮影条件表を記憶している場合における、Ｘ線撮影条件の設定過程における表示部２３の画面遷移の一例を示す図である。図９に示すように、操作者のカーソル操作により、複数の人的モデル画像から、特定の人的モデルとともに、その特定の人的モデル画像上の特定部位が選択される。図９に示す複数の人的モデル画像各々は、図８の撮影条件表における、体格階層８０と性別階層８１とに含まれる項目の組み合わせを示している。これらの人的モデル画像は、予め画像記憶部１６に記憶されている。例えば、図９でカーソルにより選択されている人的モデルは、「成人」の「男性」を示している。
【００５５】
すると、表示制御部２２は、リスト作成部１８で作成された症状リストを表示する。この症状リストには、体格階層８０、性別階層８１、及び部位階層８２の各層から操作者により選択された特定項目に関連付けされている症状階層８３の複数の症状が含まれる。操作者は、症状リストから、カーソル操作により患者の特定症状を選択する。すると、撮影条件選択部２０は、撮影条件階層８４の複数の撮影条件から、症状階層８３の特定症状に関連付けされている特定撮影条件を選択する。
【００５６】
このように、本実施形態に係るＸ線撮影装置は、患者の体格や性別等を判別できるような複数の人的モデル画像も表示する。特定の撮影条件を選択するまでの過程における、複数の人的モデル画像の表示は、操作者によるさらに細かい患者情報の入力を可能にする。こうすることで、撮影条件選択部２０による適切な撮影条件の選択ができる。
【００５７】
以上のように、本実施形態に係るＸ線撮影装置は、人的モデル画像、外傷リスト及び症状リストを表示する。これらのリストは、医師などが選択しやすい項目のリストである。そのため、医師などの操作者は、患者に該当する項目を人的モデル画像及び各リストから直感的に選択していくだけで、複数の撮影条件から特定撮影条件を選択できる。そのため、医師などの操作者でも、簡単にＸ線撮影条件の設定ができる。
【００５８】
本発明のいくつかの実施形態を説明したが、これらの実施形態は、例として提示したものであり、発明の範囲を限定することは意図していない。これら実施形態は、その他の様々な形態で実施されることが可能であり、発明の趣旨を逸脱しない範囲で、種々の省略、置き換え、変更を行なうことができる。これら実施形態やその変形は、発明の範囲や趣旨に含まれると同様に、特許請求の範囲に記載された発明とその均等の範囲に含まれるものある。
【符号の説明】
【００５９】
５…ガントリ部、６…高電圧発生部、７…Ｘ線管装置、８…Ｘ線検出部、１１…操作部、１２…システム制御部、１３…撮影制御部、１４…画像発生部、１５…記憶部、１６…画像記憶部、１７…撮影条件記憶部、１８…リスト作成部、１９…部位特定部、２０…撮影条件選択部、２１…撮影条件設定部、２２…表示制御部、２３…表示部
【図１】
2014046077.tif 000003
【図２】
2014046077.tif 000004
【図３】
2014046077.tif 000005
【図４】
2014046077.tif 000006
【図５】
2014046077.tif 000007
【図６】
2014046077.tif 000008
【図７】
2014046077.tif 000009
【図８】
2014046077.tif 000010
【図９】
2014046077.tif 000011